(57)【要約】      （修正有）【課題】操作性に優れ、接続と解除の切換が分かりやすく、不慮の離脱を防止できる紐状小物品用端部接続具を提供する。【解決手段】プラグ２とソケット１からなり、ソケットは、プラグの差込側を前端とする筒状のソケット本体１０と、その外周に摺動可能なスリーブ３と、プラグを係止させる係止球体４と、ソケット本体の後端側を閉塞する閉止部１１と、ソケット本体内に設けられる球体保持体１２と、閉止部と球体保持体との間に第１の弾性体１３を備え、ソケット本体はガイド穴１７を備え、スリーブの摺動を一定範囲に規制すべく当該ソケット本体の外周後方に位置する第１の規制手段１５及び外周前方に位置する第２の規制手段１６を備え、第１の規制手段とスリーブとの間に当該スリーブを前方へ付勢する第２の弾性体１４を備え、係止球体はガイド穴に配置され、スリーブは前端側の内面にガイド部を備え、プラグは差込部２０に輪状凹部２２を備えた。【選択図】図１
0003225114.tif 000002
【実用新案登録請求の範囲】
【請求項１】
プラグとソケットからなる紐状小物品用端部接続具であって、
前記ソケットは、プラグが差込まれる側を前端とする筒状のソケット本体と、
該ソケット本体の外周に摺動可能なスリーブと、プラグを係止させるための係止球体と、前記ソケット本体の後端側を閉塞する閉止部と、閉止部の後端側に設けられるソケット側紐状体取付部と、
ソケット本体内に設けられ前記係止球体のソケット本体内への脱落を防止する球体保持体と、前記閉止部と前記球体保持体との間に第１の弾性体を備え、
前記ソケット本体は、前端側の周壁を貫通するガイド穴を備え、
前記スリーブの摺動を一定範囲に規制すべく当該ソケット本体の外周後方に位置する第１の規制手段及び外周前方に位置する第２の規制手段を備えるとともに、第１の規制手段とスリーブとの間に当該スリーブを前方へ付勢する第２の弾性体を備えたものとし、
前記係止球体は前記ガイド穴に配置され、
前記スリーブは前端側の内面に前記係止球体を案内するガイド部を備え、
プラグは前端となる差込部に輪状凹部を備え、後端側にプラグ側紐状体取付部を備え、
前記ソケットとプラグの分離状態においては、
係止球体は球体保持体によりソケット本体内への進入が阻止されスリーブのガイド部に当接した状態が保持されており、
ソケットとプラグの結合状態においては、
係止球体がソケット本体内でプラグの輪状凹部と係止され、スリーブが係止球体の外方への移動を阻止する構成となることを特徴とする紐状小物品用端部接続具。
【請求項２】
前記プラグの先端の形状を凸状の湾曲面とし、前記ソケットの球体保持体における対応する前面を凹状の湾曲面とし、プラグの先端と球体保持体とが接触するものとしたことを特徴とする請求項１に記載の紐状小物品用端部接続具。
【請求項３】
請求項１又は２に記載の紐状小物品用端部接続具を備えた紐状小物品。
【考案の詳細な説明】
【技術分野】
【０００１】
本考案は、ネックレス等の紐状小物品の端部相互を連結するための新規な接続具に関する。
【背景技術】
【０００２】
従来、ネックレスなどの紐状小物品の端部相互を連結するための構成としては、
例えば、装飾用紐状体を接続するための接続具であって、係合体の収納穴を備えた外殻部材と、この外殻部材に内嵌される係合体と、外殻部材の内部で前記係合体をスライド自在に保持するガイド体と、装飾用紐状体の掛止部とを備えており、前記収納穴内にはテーパー面が形成され、前記係合体にはピンが挿入されるピン穴を形成するとともに前記テーパー面に対応する部位に前記ピン穴まで貫通した孔部を設け、前記孔部内には球体を転動自在に収容し、また係合体とガイド体との間には前記球体をテーパー面に圧接する方向に前記係合体を付勢するばね体を設けたことを特徴とする装飾用紐状体の接続具が公知である（例えば、特許文献１参照。）。
【先行技術文献】
【特許文献】
【０００３】
【特許文献１】特開平９−８４６１３
【考案の概要】
【考案が解決しようとする課題】
【０００４】
上記特許文献に係る発明は、接続具を解除する際には、ピン体が取り付けられた状態で係合体を押圧しなければならないので、操作性が十分とは言えないものであった。また、テーパー面を利用した押圧によってピン体を保持する構成であることから、接続と解除の切換が分かりづらい点で不便であり、また高級感を損なうものであった。更に、ピン体はテーパー面を利用した押圧によって保持されるものであるため、ピン体が強く引っ張られると、ピン体が外れる可能性があった。
【０００５】
本考案は以上の事情に鑑みてなされたものであり、操作性に優れ、接続と解除の切換が分かりやすく、不慮の離脱を防止できる、優れた紐状小物品用端部接続具の提供を、考案が解決しようとする課題とする。
【課題を解決するための手段】
【０００６】
本考案は、プラグとソケットからなる紐状小物品用端部接続具であって、前記ソケットは、プラグが差込まれる側を前端とする筒状のソケット本体と、該ソケット本体の外周に摺動可能なスリーブと、プラグを係止させるための係止球体と、前記ソケット本体の後端側を閉塞する閉止部と、閉止部の後端側に設けられるソケット側紐状体取付部と、ソケット本体内に設けられ前記係止球体のソケット本体内への脱落を防止する球体保持体と、前記閉止部と前記球体保持体との間に第１の弾性体を備え、前記ソケット本体は、前端側の周壁を貫通するガイド穴を備え、前記スリーブの摺動を一定範囲に規制すべく当該ソケット本体の外周後方に位置する第１の規制手段及び外周前方に位置する第２の規制手段を備えるとともに、第１の規制手段とスリーブとの間に当該スリーブを前方へ付勢する第２の弾性体を備えたものとし、前記係止球体は前記ガイド穴に配置され、前記スリーブは前端側の内面に前記係止球体を案内するガイド部を備え、プラグは前端となる差込部に輪状凹部を備え、後端側にプラグ側紐状体取付部を備え、前記ソケットとプラグの分離状態においては、係止球体は球体保持体によりソケット本体内への進入が阻止されスリーブのガイド部に当接した状態が保持されており、ソケットとプラグの結合状態においては、係止球体がソケット本体内でプラグの輪状凹部と係止され、スリーブが係止球体の外方への移動を阻止する構成となることを特徴とする紐状小物品用端部接続具を、上記課題を解決するための手段とする。
【０００７】
また本考案は、上記考案を前提として、前記プラグの先端の形状を凸状の湾曲面とし、前記ソケットの球体保持体における対応する前面を凹状の湾曲面とし、プラグの先端と球体保持体とが接触するものとしたことを特徴とする紐状小物品用端部接続具を、上記課題を解決するための手段とする。
【考案の効果】
【０００８】
本考案によれば、プラグの差込部に輪状凹部を備え、ソケット内で当該輪状凹部に係止球体が嵌り込み、その状態をスリーブで固定する構成であることから、ソケットからプラグが不用意に外れることがない。そして、接続の際にスリーブが移動することにより、接続状態であることが容易に判断できる。
【０００９】
また、紐状小物品に適用すると、当該紐状小物品の両端部の接続の際には、プラグをソケットに差し込むだけでよく、離脱の際にはスリーブをスライドさせるのみでプラグを簡単に離脱できる。
【００１０】
また上記考案を前提として、前記プラグの先端の形状を凸状の湾曲面とし、前記ソケットの球体保持体における対応する前面を凹状の湾曲面とし、プラグの先端と球体保持体とが接触するもの構成とすることによっては、上記作用効果を奏する上に、プラグをソケットに差込む際に、プラグの先端が球体保持体に嵌り込むように一定の範囲で接触するため、ぶれにくく安定した差し込み操作を行うことができる。
【図面の簡単な説明】
【００１１】
【図１】（ａ）本考案の実施例に係る端部接続具におけるプラグを示す一部断面とした拡大正面図、（ｂ）本考案の実施例に係る端部接続具におけるソケットを示す一部断面とした拡大正面図である。
【図２】（ａ）本考案の実施例に係る端部接続具におけるソケット本体を示す一部断面とした拡大正面図、（ｂ）本考案の実施例に係る端部接続具における閉止部を示す、一部断面とした拡大正面図及び拡大右側面図である。
【図３】（ａ）本考案の実施例に係る端部接続具における球体保持体を示す一部断面とした拡大正面図及び拡大右側面図、（ｂ）本考案の実施例に係る端部接続具におけるスリーブを示す縦断面拡大正面図及び拡大右側面図である。
【図４】（ａ）本考案の実施例に係る端部接続具におけるソケットとプラグの分離状態を示す一部断面とした拡大正面図、（ｂ）同プラグの先端をソケットの球体保持体に当接させた状態を示す一部断面とした拡大正面図である。
【図５】（ａ）本考案の実施例に係る端部接続具におけるプラグの先端をソケットの係止球体に当接させた状態を示す一部断面とした拡大正面図、（ｂ）同プラグの輪状凹部にソケットの係止球体を係止させた状態（連結状態）を示す一部断面とした拡大正面図である。
【図６】（ａ）本考案の実施例に係る端部接続具におけるソケットとプラグの連結状態を示す一部断面とした拡大正面図、（ｂ）同ソケットとプラグの連結状態においてスリーブをスライド（後退）させた状態を示す一部断面とした拡大正面図、（ｃ）同プラグを後退させ、ソケットの係止球体が球体保持部に当接した状態を示す一部断面とした拡大正面図である。
【図７】（ａ）本考案の実施例に係る端部接続具における球体保持部がガイド穴及びガイド部へ移動した状態を示す一部断面とした拡大正面図、（ｂ）スリーブが後退した状態において同ソケットとプラグとが分離した状態を示す一部断面とした拡大正面図である。
【図８】（ａ）本考案の実施例に係る端部接続具を備えたネックレスの端部を連結した状態を示す説明図、（ｂ）同ネックレスの端部を分離した状態を示す説明図である。
【考案を実施するための形態】
【００１２】
以下に、本実施例に係る紐状小物品用端部接続具Ｓ（以下、単に「端部接続具」Ｓという。）について説明する。尚、本考案は以下の実施例に限定されるものではなく、本考案の開示する技術的思想の範囲内において、設計変更等された形状等にも及ぶものである。
尚、本考案の説明上、ソケット１、プラグ２のいずれも差込側となる端部（方向）を前端（前方）とし、他方の端部（方向）を後端（後方）とする。
【実施例１】
【００１３】
本実施例に係る端部接続具Ｓは、いずれも金属製のソケット１とプラグ２とからなる。当該ソケット１とプラグ２を接続した状態における大きさは、図８に示すように、直径約５ｍｍ、長さ約１９ｍｍ程度となる、ネックレスの端部等の接続に適した大きさの非常に微小な端部接続具である。
【００１４】
本実施例に係る端部接続具Ｓのプラグ２は、図１（ａ）に示すように、円柱状のプラグ本体２１と該プラグ本体２１の先端側に縮径した円柱状の差込部２０とを備え、前記差込部２０の先端２３は凸状の湾曲面（球欠）とし、側面には輪状凹部２２を設けた構成である。プラグ２の後端部には紐状体を固定するための取付穴（プラグ側紐状体連結部２９）を有する。
【００１５】
本実施例に係る端部接続具Ｓのソケット１は、図１（ｂ）に示すように、筒状のソケット本体１０と、該ソケット本体１０の外周に摺動可能な筒状のスリーブ３と、プラグ２を係止させるための係止球体４と、スリーブ３の離脱を防止するための第１の規制手段１５（段差）及び第２の規制手段１６（抜止環体）と、前記ソケット本体１０の後端側を閉塞する閉止部１１と、ソケット本体１０内に設けられ前記係止球体４のソケット本体１０内への脱落を防止する球体保持体１２と、前記閉止部１１と前記球体保持体１２との間に設けられる第１の弾性体１３（コイルスプリング）と、第１の規制手段１５とスリーブ３との間に設けられ、当該スリーブ３を前方へ付勢する第２の弾性体１４（コイルスプリング）と、を備える。
【００１６】
前記ソケット本体１０は、図２（ａ）に示すように、前端側の周壁を貫通するガイド穴１７を備え、後端側の内周面には雌螺子部１０１を備えている。ガイド穴１７よりやや後方位置において、前方へ向けて当該ソケット本体１０の内径が一定長さで縮径する縮径縁部１０２を備える。縮径縁部１０２は、球体保持体１２の前方への抜け止めとして機能する。
【００１７】
また外周面には前記第１の規制手段となる段差１５を備え、前端側の外周には輪状溝部１８を備える。
当該輪状溝部１８には、前記第２の規制手段となる抜止環体１６を設けてある。
【００１８】
前記閉止部１１は、図２（ａ）に示すように、外周に雄螺子１１０を備え、前面には、前記第１の弾性体（コイルスプリング）の後端を保持する弾性体保持部１１１を備える。また後面には、当該閉止部１１を回転操作するための操作部１１２を備えている。
【００１９】
球体保持体１２は、図３（ａ）に示すように、ソケット本体１０の内径に略等しい外径を有し、後部外周には前部よりも拡径した拡径部１２０を有する構成である。前面には、プラグ２の差込部２０の先端２３の凸状の湾曲面に沿う凹状の湾曲面１２２を有し、後面には前記第１の弾性体１３の前端と接続する接続部１２１を有している。
【００２０】
前記第１の弾性体１３は、後端が閉止部１１の弾性体保持部１１１と連結され、前端が前記球体保持体１２の接続部１２１と連結されている。
前記閉止部１１の雄螺子部１１０は、ソケット本体１０の雌螺子部１０１と螺合し、ソケット本体１０の後端から少し前方へ入った位置に配置される。
ソケット本体１０の後端部に形成される空間は、ソケット側紐状体連結部１９となる。
【００２１】
プラグ２が差し込まれていない状態（以下、通常状態という。）において、球体保持体１２の拡径部１２０とソケット本体１０の縮径縁部１０２が当接した状態で、第１の弾性体１３によって球体保持体１２が前方へ付勢され、当該球体保持体１２がガイド穴１７を閉塞する位置となっている。
【００２２】
球体保持体１２がガイド穴１７を閉塞した位置となるとき、係止球体４は、ガイド穴１７及びガイド部に位置する状態（即ち、ガイド穴１７から係止球体４が外方へ突出した状態）となる。
【００２３】
前記スリーブ３は、図３（ｂ）に示すように、スリーブ本体３０の前端側に係止球体４をガイドするためのガイド面３１を有する。該ガイド面３１の後方には前記ソケット本体１０と摺動する摺動面３２を備える。更に摺動面３２の後方にはスリーブ本体３０の厚みが減少する段差３０１（スリーブ側段差）を有する。
【００２４】
ソケット本体１０の段差１５（第１の規制手段）と前記スリーブ３の段差３０１（スリーブ側段差）との間には、第２の弾性体１４（コイルスプリング）が配置される。通常状態において、スリーブ３は当該第２の弾性体１４によって前方へ付勢され、ガイド穴１７から突出した係止球体４を押圧し、係止球体４を保持した状態を維持する。前記段差１５は、第２の弾性体１４を介して、スリーブの後退方向への移動を規制する。
【００２５】
以上の構成のソケット１に対してプラグ２を挿入すると、図４（ｂ）に示すようにプラグ２の差込部２０の端面とソケット１の球体保持体１２の前面とが当接し、図５（ａ）に示すようにプラグ２の前進に伴い前記球体保持体１２が後退し、係止球体４がプラグ２と当接する。
【００２６】
プラグ２が前進することで、スリーブ３は係止球体４をガイド穴１７へ押し込むように作用する。更にプラグ２が前進することで、図５（ｂ）に示すようにプラグ２の輪状凹部２２内に係止球体４が嵌り込む。スリーブ３は、第２の規制手段である抜止環体１６と当接するとともに、係止球体４を押圧固定する。この状態において、ソケット１とプラグ２との連結固定が完了する。
【００２７】
次に、ソケット１とプラグ２の連結固定状態からの解除について説明する。
図６（ａ）に示す上記連結固定された状態のソケット１とプラグ２において、スリーブ３を図６（ｂ）（ｃ）に示すように後退させる（即ち、スリーブ３をソケット１の後端側へ摺動させる）。
【００２８】
スリーブ３の後退に伴い、係止球体４とスリーブ１の接触が解かれ、係止球体４はガイド部へ移動可能となる。
この状態において、プラグ２は引抜可能となる。プラグ２を引抜くと、球体保持体４は第１の弾性体１３に付勢されているため、図７（ａ）に示すように、プラグ２の差込部２０と当接した状態で追従する。
【００２９】
係止球体４は、プラグ２の差込部２０から離れ、図７（ｂ）に示すように、球体保持部１２と当接する。係止球体４は、球体保持部１２とスリーブ３によって保持される。この状態において、プラグ２とソケット１との離脱が完了する。
【００３０】
本実施例に係る紐状小物品５（例えば、ネックレス等）は、図８に示すように、その紐状体５０の一端が前記ソケット１のソケット側紐状体取付部１９に固着され、他端が前記プラグ２のプラグ側紐状体取付部２９に固着される。当該構成とすることで、上記ソケット１とプラグ２の着脱が可能となり、紐状小物品を環状体として使用できる。
【００３１】
紐状小物品５の紐状体５０と、前記ソケット側紐状体取付部１９及び前記プラグ側紐状体取付部２９との固着は、接着、圧着、係着等、種々の公知の取付構造を用いることができ、また、これらを併用することもできる。また接続部品を用いることも可能である。例えば、紐状体の端部に雄螺子を有する金具を固着し、これを前記ソケット側紐状体取付部１９若しくは前記プラグ側紐状体取付部２９に設けた雌螺子と螺合させることもできる。
【００３２】
上記実施例においては、金属製材料によって構成しているが、本考案は当該構成に限定されるものではなく、例えば、構成部品の一部を合成樹脂等からなるものとすることもできる。金属製材料を用いることによっては、強度と高級感を付与することができる。また、合成樹脂等を用いることによっては、製造コストの低廉化を図ることができる。
【００３３】
上記実施例においては、係止球体を同一円周上に３個用いた構成としているが、本考案は当該構成に限定されるものではなく、数量に限定されない。
【００３４】
また上記実施例においては、紐状小物品の例としてネックレスを示したが、本考案において紐状小物品とは上記ネックレスに限定されず、例えばストラップや書類綴り用の紐状体等、種々の紐状小物品に適用することができる。
【符号の説明】
【００３５】
１      ソケット
１０    ソケット本体
１０１  雌螺子部
１０２  縮径縁部
１１    閉止部
１１０  雄螺子部
１１１  弾性体保持部
１１２  操作部
１２    球体保持体
１２０  拡径部
１２１  接続部
１２２  湾曲面
１３    第１の弾性体
１４    第２の弾性体
１５    段差（第１の規制手段）
１６    抜止環体（第２の規制手段）
１７    ガイド穴
１８    輪状溝部
１９    ソケット側紐状体取付部
２      プラグ
２０    差込部
２１    プラグ本体
２２    輪状凹部
２３    先端
２９    プラグ側紐状体取付部
３      スリーブ
３０    スリーブ本体
３０１  段差（スリーブ側段差）
３１    ガイド面
３２    摺動面
４      係止球体
５      紐状小物品（ネックレス等）
５０    紐状体
【図１】
0003225114.tif 000003
【図２】
0003225114.tif 000004
【図３】
0003225114.tif 000005
【図４】
0003225114.tif 000006
【図５】
0003225114.tif 000007
【図６】
0003225114.tif 000008
【図７】
0003225114.tif 000009
【図８】
0003225114.tif 000010